【手続補正書】
【提出日】平成16年5月12日(2004.5.12)
【手続補正１】
【補正対象書類名】明細書
【補正対象項目名】発明の名称
【補正方法】変更
【補正の内容】
【発明の名称】折り畳み装置、後処理装置及び画像形成装置
【手続補正２】
【補正対象書類名】明細書
【補正対象項目名】特許請求の範囲
【補正方法】変更
【補正の内容】
【特許請求の範囲】
【請求項１】
搬送手段、前記搬送手段の下流に設けられた少なくとも一対の折り畳みローラ、停止部材及び折り畳み案内部材を有し、前記搬送手段で搬送した用紙の先端を前記停止部材により停止させ、先端停止後に前記搬送手段により搬送して用紙を折り曲げ、折り曲げられた用紙を前記折り畳み案内部材により前記折り畳みローラへ案内して折り畳みを行う折り畳み装置において、
前記折り畳み案内部材の位置の調整を搬送路幅方向の一方の端部において他方の端部に対して独立して行うことを可能にする調整手段を設けたことを特徴とする折り畳み装置。
【請求項２】
前記調整は、前記搬送手段から前記停止部材までの搬送路長を変えるものであることを特徴とする請求項１に記載の折り畳み装置。
【請求項３】
前記折り畳み案内部材は、前記一対の折り畳みローラの挟持部に向いた凸部を有する案内板からなることを特徴とする請求項１又は請求項２に記載の折り畳み装置。
【請求項４】
前記案内板は、調整可能な下流側端部を有し、前記調整手段は、前記下流側端部を調整するものであることを特徴とする請求項３に記載の折り畳み装置。
【請求項５】
前記挟持部近傍における前記折り畳みローラの表面を覆う補助案内部材を設けたことを特徴とする請求項３又は請求項４に記載の折り畳み装置。
【請求項６】
搬送手段、少なくとも一対の折り畳みローラ、用紙の先端を止める停止部材及び折り畳み案内部材を有し、前記搬送手段で搬送した用紙の先端を前記停止部材により停止させ、停止後に前記搬送手段により搬送して用紙を折り曲げ、折り曲げられた用紙を前記折り畳み案内部材により前記折り畳みローラへ案内して折り畳みを行う折り畳み装置において、
前記搬送手段から前記停止部材に至る搬送路に、入り口部で広く、中流部で狭い搬送路間隙を形成する補助案内部材を設けたことを特徴とする折り畳み装置。
【請求項７】
前記補助案内部材は、搬送路幅方向の一部に設けられた凸条からなることを特徴とする請求項６に記載の折り畳み装置。
【請求項８】
前記搬送路間隙が調整可能であり、前記補助案内部材により前記搬送路間隙が調整されることを特徴とする請求項６又は請求項７に記載の折り畳み装置。
【請求項９】
前記補助案内部材は、前記搬送路の前記停止部材近傍において前記中流部よりも広い前記搬送路間隙を形成することを特徴とする請求項６〜８のいずれか１項に記載の折り畳み装置。
【請求項１０】
請求項１〜９のいずれか１項に記載の折り畳み装置を備えたことを特徴とする後処理装置。
【請求項１１】
請求項１０に記載の後処理装置を有することを特徴とする画像形成装置。
【手続補正３】
【補正対象書類名】明細書
【補正対象項目名】０００１
【補正方法】変更
【補正の内容】
【０００１】
【発明の属する技術分野】
本発明は折り畳み装置、画像形成された用紙に対して折り畳み等の後処理を行う後処理装置及び画像形成装置に関する。
【手続補正４】
【補正対象書類名】明細書
【補正対象項目名】０００２
【補正方法】変更
【補正の内容】
【０００２】
【従来の技術】
（１）画像形成後の用紙に対して折り畳み処理等の処理を行う後処理装置では、一般に、種々の処理を行う処理装置の前にレジストローラが設けられている。
該レジストローラによって、用紙の姿勢や搬送タイミングが整えられて、正しい処理が行われる。即ち例えば、用紙の正しい位置に穿孔が施されたり、正しい位置に折り目を付ける折り畳み処理が行われる。
（２）折り畳み装置としては、ナイフ状の折り畳み部材を用いて折り畳みを行うものや停止部材に用紙を押し当て用紙を屈曲させるものが多く用いられている。停止部材を用いる折り畳み装置は装置が小型になるので、画像形成装置の付属装置としての折り畳み装置に多く用いられている。
（３）停止部材で用紙の先端を停止させ、該停止部材に用紙を押し当てることにより用紙を屈曲させて折り畳みを行う折り畳み装置では、用紙を屈曲させる搬送空間の他の搬送路では用紙の動きを制限する必要があるので、搬送路間隙を狭く形成している。即ち、折り畳み用の搬送空間以外の搬送路では、搬送路間隙を狭く形成して用紙の真直度を保持することにより正確な折り畳みを行っている。
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】変更
【補正の内容】
【０００５】
【発明が解決しようとする課題】
（１）停止部材を用い、該停止部材に用紙を押し当てて折り畳みを行う従来の折り畳み装置では、用紙に正確な位置で折り目を形成することが困難であり、また、折り目が傾斜する場合があり、更に、折り畳みを安定して行うことが困難で、折り畳んだ用紙に皺ができる等の問題があり、従来の折り畳み装置ではこれらの現象を防止するための調整が困難であった。
【手続補正８】
【補正対象書類名】明細書
【補正対象項目名】０００６
【補正方法】変更
【補正の内容】
【０００６】
第１の本発明は、前記の望ましくない現象を効果的に防止することができる調整機構を持った折り畳み装置、かかる折り畳み装置を有する後処理装置及び画像形成装置を提供することを目的とする。
（２）折り畳みを正確に行うために、折り畳みを行う搬送空間以外の搬送路間隙を狭くするために従来は、搬送路を形成する案内部材に搬送方向に平行な凸条
を形成して搬送抵抗を抑制しながら搬送路間隙を狭めることが行われている。しかしながら、従来の折り畳み装置では、搬送路間隙を搬送方向に一様に形成しており、しかも、搬送路間隙を調整することができなかった。そのために、搬送路間隙を狭めると搬送抵抗が増すという問題が解決されていない。また、調整ができないために搬送条件を最適にすることができず、安定して作動する折り畳み装置を作ることが困難であった。
【手続補正９】
【補正対象書類名】明細書
【補正対象項目名】０００７
【補正方法】変更
【補正の内容】
【０００７】
第２の本発明は、従来の折り畳み装置における前記の問題を解決し、正確な折り畳みが行われるとともに、安定した用紙搬送が行われる折り畳み装置、かかる折り畳み装置を備えた後処理装置及び画像形成装置を提供することを目的とする。
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】削除
【補正の内容】
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】変更
【補正の内容】
【００１１】
【課題を解決するための手段】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】削除
【補正の内容】
【手続補正１８】
【補正対象書類名】明細書
【補正対象項目名】００１６
【補正方法】変更
【補正の内容】
【００１６】
前記の本発明の目的は下記の発明により達成される。
１．搬送手段、前記搬送手段の下流に設けられた少なくとも一対の折り畳みローラ、停止部材及び折り畳み案内部材を有し、前記搬送手段で搬送した用紙の先端を前記停止部材により停止させ、先端停止後に前記搬送手段により搬送して用紙を折り曲げ、折り曲げられた用紙を前記折り畳み案内部材により前記折り畳みローラへ案内して折り畳みを行う折り畳み装置において、
前記折り畳み案内部材の位置の調整を搬送路幅方向の一方の端部において他方の端部に対して独立して行うことを可能にする調整手段を設けたことを特徴とする折り畳み装置。
【手続補正１９】
【補正対象書類名】明細書
【補正対象項目名】００１７
【補正方法】変更
【補正の内容】
【００１７】
２．前記調整は、前記搬送手段から前記停止部材までの搬送路長を変えるものであることを特徴とする前記１に記載の折り畳み装置。
【手続補正２０】
【補正対象書類名】明細書
【補正対象項目名】００１８
【補正方法】変更
【補正の内容】
【００１８】
３．前記折り畳み案内部材は、前記一対の折り畳みローラの挟持部に向いた凸部を有する案内板からなることを特徴とする前記１又は前記２に記載の折り畳み装置。
【手続補正２１】
【補正対象書類名】明細書
【補正対象項目名】００１９
【補正方法】変更
【補正の内容】
【００１９】
４．前記案内板は、調整可能な下流側端部を有し、前記調整手段は、前記下流側端部を調整するものであることを特徴とする前記３に記載の折り畳み装置。
【手続補正２２】
【補正対象書類名】明細書
【補正対象項目名】００２０
【補正方法】変更
【補正の内容】
【００２０】
５．前記挟持部近傍における前記折り畳みローラの表面を覆う補助案内部材を設けたことを特徴とする前記３又は前記４に記載の折り畳み装置。
【手続補正２３】
【補正対象書類名】明細書
【補正対象項目名】００２１
【補正方法】変更
【補正の内容】
【００２１】
６．搬送手段、少なくとも一対の折り畳みローラ、用紙の先端を止める停止部材及び折り畳み案内部材を有し、前記搬送手段で搬送した用紙の先端を前記停止部材により停止させ、停止後に前記搬送手段により搬送して用紙を折り曲げ、折り曲げられた用紙を前記折り畳み案内部材により前記折り畳みローラへ案内して折り畳みを行う折り畳み装置において、
前記搬送手段から前記停止部材に至る搬送路に、入り口部で広く、中流部で狭い搬送路間隙を形成する補助案内部材を設けたことを特徴とする折り畳み装置。
【手続補正２４】
【補正対象書類名】明細書
【補正対象項目名】００２２
【補正方法】変更
【補正の内容】
【００２２】
７．前記補助案内部材は、搬送路幅方向の一部に設けられた凸条からなることを特徴とする前記６に記載の折り畳み装置。
【手続補正２５】
【補正対象書類名】明細書
【補正対象項目名】００２３
【補正方法】変更
【補正の内容】
【００２３】
８．前記搬送路間隙が調整可能であり、前記補助案内部材により前記搬送路間隙が調整されることを特徴とする前記６又は前記７に記載の折り畳み装置。
【手続補正２６】
【補正対象書類名】明細書
【補正対象項目名】００２４
【補正方法】変更
【補正の内容】
【００２４】
９．前記補助案内部材は、前記搬送路の前記停止部材近傍において前記中流部よりも広い前記搬送路間隙を形成することを特徴とする前記６〜８のいずれか１項に記載の折り畳み装置。
【手続補正２７】
【補正対象書類名】明細書
【補正対象項目名】００２５
【補正方法】変更
【補正の内容】
【００２５】
１０．前記１〜９のいずれか１項に記載の折り畳み装置を備えたことを特徴とする後処理装置。
【手続補正２８】
【補正対象書類名】明細書
【補正対象項目名】００２６
【補正方法】変更
【補正の内容】
【００２６】
１１．前記１０に記載の後処理装置を有することを特徴とする画像形成装置。
【手続補正２９】
【補正対象書類名】明細書
【補正対象項目名】００２７
【補正方法】削除
【補正の内容】
【手続補正３０】
【補正対象書類名】明細書
【補正対象項目名】００２８
【補正方法】削除
【補正の内容】
【手続補正３１】
【補正対象書類名】明細書
【補正対象項目名】００２９
【補正方法】削除
【補正の内容】
【手続補正３２】
【補正対象書類名】明細書
【補正対象項目名】００３０
【補正方法】削除
【補正の内容】
【手続補正３３】
【補正対象書類名】明細書
【補正対象項目名】００３１
【補正方法】削除
【補正の内容】
【手続補正３４】
【補正対象書類名】明細書
【補正対象項目名】００３２
【補正方法】削除
【補正の内容】
【手続補正３５】
【補正対象書類名】明細書
【補正対象項目名】００３３
【補正方法】削除
【補正の内容】
【手続補正３６】
【補正対象書類名】明細書
【補正対象項目名】００３４
【補正方法】削除
【補正の内容】
【手続補正３７】
【補正対象書類名】明細書
【補正対象項目名】００３５
【補正方法】削除
【補正の内容】
【手続補正３８】
【補正対象書類名】明細書
【補正対象項目名】００３６
【補正方法】削除
【補正の内容】
【手続補正３９】
【補正対象書類名】明細書
【補正対象項目名】００３７
【補正方法】削除
【補正の内容】
【手続補正４０】
【補正対象書類名】明細書
【補正対象項目名】００３８
【補正方法】削除
【補正の内容】
【手続補正４１】
【補正対象書類名】明細書
【補正対象項目名】００９１
【補正方法】削除
【補正の内容】
【手続補正４２】
【補正対象書類名】明細書
【補正対象項目名】００９２
【補正方法】削除
【補正の内容】
【手続補正４３】
【補正対象書類名】明細書
【補正対象項目名】００９３
【補正方法】削除
【補正の内容】
【手続補正４４】
【補正対象書類名】明細書
【補正対象項目名】００９４
【補正方法】変更
【補正の内容】
【００９４】
【発明の効果】
請求項１〜４のいずれかの発明により、折り畳み案内部材の搬送路幅方向の端部を他方の端部に対して独立して調整することができるので、折り目の形成位置、角度及や折り畳みにおける搬送性の調整が可能になり、正確な折り畳みと安定した折り畳みを行う折り畳み装置が実現される。
【手続補正４５】
【補正対象書類名】明細書
【補正対象項目名】００９５
【補正方法】変更
【補正の内容】
【００９５】
請求項５の発明により、正確な位置に折り目を形成する折り畳みが行われる。
請求項６〜１１のいずれかの発明により、正確な位置に折り目を形成する折り畳みが行われるとともに、搬送抵抗が少なく安定した搬送が行われる。
【手続補正４６】
【補正対象書類名】明細書
【補正対象項目名】００９６
【補正方法】削除
【補正の内容】
【手続補正４７】
【補正対象書類名】明細書
【補正対象項目名】００９７
【補正方法】削除
【補正の内容】
【手続補正４８】
【補正対象書類名】明細書
【補正対象項目名】００９８
【補正方法】削除
【補正の内容】
【手続補正４９】
【補正対象書類名】明細書
【補正対象項目名】００９９
【補正方法】削除
【補正の内容】
【手続補正５０】
【補正対象書類名】明細書
【補正対象項目名】０１００
【補正方法】削除
【補正の内容】
【手続補正５１】
【補正対象書類名】明細書
【補正対象項目名】０１０１
【補正方法】削除
【補正の内容】